(57)【特許請求の範囲】
【請求項１】
外部からの衝撃を受けて落下する簡易飛行物体であって、
該簡易飛行物体が基体部と、
該基体部から衝撃により分離可能である複数のプロペラ部と、からなり、
前記基体部には電源及び前記プロペラ部を制御するための制御部が設けられ、
前記プロペラ部が、前記電源に結合するモータ体と、該モータ体の軸に取り付けられたプロペラ体とよりなり、
前記基体部には接点が設けられ、
前記プロペラ部にはプロペラ部側接点が設けられ、
前記プロペラ部と前記基体部とが、磁力で仮結合されており、
前記接点と前記プロペラ部側接点とが接触することにより前記電源と前記モータ体とが導通するものであり、
衝撃を受けて前記基体部と前記プロペラ部との仮結合が外れると同時に、前記基体部の前記接点と前記プロペラ部の前記プロペラ部側接点とが分離するものである簡易飛行物体。  
【請求項２】
外部からの衝撃を受けて落下する簡易飛行物体であって、
該簡易飛行物体が基体部と、
該基体部から衝撃により分離可能である複数のプロペラ部と、からなり、
前記基体部には電源及び前記プロペラ部を制御するための制御部が設けられ、
前記プロペラ部が、前記電源に結合するモータ体と、該モータ体の軸に取り付けられたプロペラ体とよりなり、
前記基体部には接点が設けられ、前記プロペラ部にはプロペラ部側接点が設けられ、
前記プロペラ部と前記基体部とが、電磁石による電磁力で仮結合されており、
前記接点と前記プロペラ部側接点とが接触することにより前記電源と前記モータ体とが導通するものであり、
前記基体部の外側に露出してタッチ式センサーが設けられており、
前記タッチ式センサーは前記電源から前記電磁石への電力の供給のオンオフを切り替えるものであり、
外部からの衝撃によって前記タッチ式センサーに触れることによりオフとなり、前記電磁石による電磁力がなくなり、前記基体部と前記プロペラ部との仮結合が外れると同時に、前記基体部の前記接点と前記プロペラ部の前記プロペラ部側接点とが分離するものである簡易飛行物体。  
【請求項３】
前記プロペラ部が、前記基体部に対して嵌合されている請求項１又は２記載の簡易飛行物体。
【請求項４】
他の物体から衝撃を受けることにより前記プロペラ部の少なくとも１つが前記基体部から分離して落下するものである請求項１記載の簡易飛行物体。
【請求項５】
前記基体部は、略矩形状の筐体であり、
前記基体部の四角の上端からは水平方向にアーム部が延出しており、
それぞれの前記アーム部の先端に前記プロペラ部が取り付けられ、且つ、前記アーム部を前記プロペラ部が下側から支持するように取り付けられている請求項１〜４いずれか１項に記載の簡易飛行物体。
【請求項６】
前記プロペラ部は、前記プロペラ体と、それを保護するためのフレーム部を有し、
該フレーム部は、前記プロペラ体の軸に下側から接続された前記モータ体を内蔵するモータ体受け部と、該モータ体受け部から外方へ斜め上方に延出する３つの梁部と、該梁部に支持された前記プロペラ体と接しない円形の外枠と、を有する請求項１〜５いずれか１項に記載の簡易飛行物体。
【発明の詳細な説明】
【技術分野】
【０００１】
本発明は衝撃を受けて容易に分離して落下する簡易飛行物体に関し、更に詳しくは落下した後、組み付けて、再度の飛行が可能な簡易飛行物体に関する。
【背景技術】
【０００２】
近年、ラジコンのように小型の無線飛行物体が普及してきており、それを利用したゲームは広く知られている
特に、最近では、ドローンの通称で知られる無人小型航空機が出現したことにより、それを使って室内でも楽しめるゲームが提供されるようになった。
その中でも、ドローンに離れた位置から弾を当てて撃ち落とすゲームも現れている。
このゲームは、ドローンが落下することにより、恰も実際に飛ぶ戦闘機を落とす面白さに似た感覚を体感できるものである
しかし、これは飽くまでもドローンがそのままの状態で、落下するだけに過ぎない。
実際の戦闘機が例えばロケット弾を受け落下する場合は、戦闘機自体が空中分解して落下し、極めて爽快且つエキサイティングなものである。
因みに、ラジコン模型飛行機が、人体等へ不用意に衝突した場合に、プロペラのみが、ロータから脱落するスピナーユニット装置（例えば特許文献１）はあるが、空中分解して落下するものとは異質なものである。
【先行技術文献】
【特許文献】
【０００３】
【特許文献１】特開２００６−７５３２１号公報
【発明の概要】
【発明が解決しようとする課題】
【０００４】
本発明は、上述の問題点を背景に開発されたものである。
すなわち、本発明は衝撃を受けて分離して落下する簡易飛行物体であり、落下した後に容易に再度の飛行が可能な簡易飛行物体を提供することを目的とする。
【課題を解決するための手段】
【０００５】
本発明者は鋭意検討の結果、複数のプロペラ部を備えた基部に対してプロペラ部を分離可能とすることにより、空中分解に似た面白さを発揮できることを見出した。
本発明は、この知見に基づいてなされたものである。
【０００６】
本発明は（１）、外部からの衝撃を受けて落下する簡易飛行物体であって、簡易飛行物体が基体部と、基体部から衝撃により分離可能である複数のプロペラ部と、からなり、基体部には電源及びプロペラ部を制御するための制御部が設けられ、プロペラ部が、電源に結合するモータ体と、モータ体の軸に取り付けられたプロペラ体とよりなり、基体部には接点が設けられ、プロペラ部にはプロペラ部側接点が設けられ、プロペラ部と基体部とが、磁力で仮結合されており、接点とプロペラ部側接点とが接触することにより電源とモータ体とが導通するものであり、衝撃を受けて基体部とプロペラ部との仮結合が外れると同時に、基体部の接点とプロペラ部のプロペラ部側接点とが分離するものである簡易飛行物体に存する。
【０００７】
本発明は（２）、外部からの衝撃を受けて落下する簡易飛行物体であって、簡易飛行物体が基体部と、基体部から衝撃により分離可能である複数のプロペラ部と、からなり、
基体部には電源及びプロペラ部を制御するための制御部が設けられ、プロペラ部が、電源に結合するモータ体と、モータ体の軸に取り付けられたプロペラ体とよりなり、基体部には接点が設けられ、プロペラ部にはプロペラ部側接点が設けられ、プロペラ部と基体部とが、電磁石による電磁力で仮結合されており、接点とプロペラ部側接点とが接触することにより電源とモータ体とが導通するものであり、基体部の外側に露出してタッチ式センサーが設けられており、タッチ式センサーは電源から電磁石への電力の供給のオンオフを切り替えるものであり、外部からの衝撃によってタッチ式センサーに触れることによりオフとなり、電磁石による電磁力がなくなり、基体部とプロペラ部との仮結合が外れると同時に、基体部の接点とプロペラ部のプロペラ部側接点とが分離するものである簡易飛行物体に存する。
【０００８】
本発明は（３）、プロペラ部が、基体部に対して嵌合されている上記（１）又は（２）記載の簡易飛行物体に存する。
【０００９】
本発明は（４）、他の物体から衝撃を受けることによりプロペラ部の少なくとも１つが
基体部から分離して落下するものである上記（１）記載の簡易飛行物体に存する。
【００１０】
本発明は（５）、基体部は、略矩形状の筐体であり、基体部の四角の上端からは水平方向にアーム部が延出しており、それぞれのアーム部の先端にプロペラ部が取り付けられ、且つ、アーム部をプロペラ部が下側から支持するように取り付けられている上記（１）〜（４）いずれか１つに記載の簡易飛行物体に存する。
【００１１】
本発明は（６）、プロペラ部は、プロペラ体と、それを保護するためのフレーム部を有し、フレーム部は、プロペラ体の軸に下側から接続されたモータ体を内蔵するモータ体受け部と、モータ体受け部から外方へ斜め上方に延出する３つの梁部と、梁部に支持されたプロペラ体と接しない円形の外枠と、を有する上記（１）〜（５）いずれか１つに記載の簡易飛行物体に存する。
【発明の効果】
【００１２】
簡易飛行物体においては、基体部と、基体部と分離可能なプロペラ部とからなることにより、簡易飛行物体が衝撃を受けた際に、プロペラ部が基体部から分離可能である。
したがって、簡易飛行物体を打ち落とす場合に、簡易飛行物体に物が当たったことが視覚的に分かり易く、爽快感を得ることが可能である。加えて、基体部とプロペラ部とが分離した場合に、再度、基体部とプロペラ部とを取り付けることにより、再度の飛行を容易に行うことができる。
【００１３】
また、プロペラ部が複数であることにより、プロペラ部の基体部からの分離が、より視覚的に分かりやすく行われる。
また、簡易飛行物体をバラバラにして打ち落とす爽快感やエキサイティング感を得ることができる。
簡易飛行物体においては、基体部に電源が設けられていることにより、プロペラ部が当該電源を動力として駆動することができる。プロペラ部の動力を電源とすることにより、動力の交換が容易であり、また簡易飛行物体を持ち運ぶことが容易となる。
【００１４】
簡易飛行物体においては、基体部とプロペラ部とが、磁力で仮結合されていることにより、基体部とプロペラ部とが分離した際に、再度、使用者が容易に、プロペラ部を基体部に対して取り付けることが可能である。
【００１５】
簡易飛行物体においては、プロペラ部と基体部とが、電磁力で仮結合されていることにより、簡易飛行物体が衝撃を受けた場合に、プロペラ部と基体部との分離がより確実に行われる。
また、複数のプロペラ部全てについて分離が行われる。したがって、基体部とプロペラ部との分離がより視覚的に分かり易くなり、簡易飛行物体を打ち落とした際の爽快感やエキサイティング感が得られる。
【００１６】
簡易飛行物体においては、プロペラ部が、基体部に対して嵌合されていることにより、プロペラ部が基体部から分離した場合に、再度、使用者が容易にプロペラ部を基体部に取り付けることが可能である。
【００１７】
簡易飛行物体においては、簡易飛行物体が他の物体から衝撃を受けることによりプロペラ部の少なくとも１つが基体部から分離して落下するものであることにより、例えば、射撃、当的等により、簡易飛行物体を打ち落とすゲームに用いることが可能となる。
【００１８】
簡易飛行物体においては、簡易飛行物体が他の物体に衝突することによりプロペラ部の少なくとも１つが基体部から分離して落下するものであることにより、例えば、簡易飛行物体を操作して障害物を回避するゲームに用いることも可能である。
【図面の簡単な説明】
【００１９】
【図１】図１は、簡易飛行物体を示す側面図である。  図１（Ａ）は基体部とプロペラ部とが取り付けられた状態を示す。図１（Ｂ）は、基体部とプロペラ部との取り付けを示す。
【図２】図２は、簡易飛行物体を示す上面図である。
【図３】図３は、アーム部を示す下面図である。
【図４】図４は、プロペラ部を示す説明図である。
【図５】図５は、プロペラ部と基体部とが分離する様子を示す説明図である。
【図６】図６は、他の実施例に係る簡易飛行物体を示す説明図である。
【図７】図７は、プロペラ部と基体部とが分離する様子を示す説明図である。
【図８】図８は、他の実施例に係る簡易飛行物体を示す説明図である。図８（Ａ）は基体部とプロペラ部とが取り付けられた状態を示す。図８（Ｂ）は、基体部とプロペラ部との取り付けを示す。
【発明を実施するための形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００２１】
図１は、簡易飛行物体Ａを示す側面図である。
図１（Ａ）は基体部１とプロペラ部２とが取り付けられた状態を示す。
簡易飛行物体Ａは、基体部１とプロペラ部２とよりなる。簡易飛行物体Ａは、プロペラ部２が駆動することにより、垂直方向及び水平方向に自由に飛行が可能なものである。
図１（Ｂ）は、基体部１とプロペラ部２とを取り付けた後の状態を示す図である。
図１（Ｂ）に示すように、プロペラ部２は、基体部１の下側から取り付けられるものである。
【００２２】
図２は、簡易飛行物体Ａの上面図である。
図に示すように、この実施の形態では、基体部１には、４つのプロペラ部２が取り付けられている。
【００２３】
基体部１は、略矩形状の筐体である。基体部１の四角の上端からは水平方向にアーム部１１が延出しており、それぞれのアーム部１１の先端にプロペラ部２が取り付けられる。
基体部１には、電源４、プロペラ部２を制御するための制御部６、及びプロペラ部２に電力を供給するための導通線等が内蔵され、これらが電気的に接続されている。
【００２４】
基体部１の内部には、電源４として、例えば電池が配設される。簡易飛行物体Ａは、これらの電源４により駆動するものである。
基体部１に設ける電源４には電池が好適に利用でき、電源４が消耗しても交換が可能である。
また、電池として蓄電池を用いることで、繰り返し利用することが可能となる。
【００２５】
制御部６には、外部の操作信号を受信する受信部と、受信部が受信した操作信号に応じて複数のプロペラ部２のそれぞれの駆動を制御する回路が設けられている。
制御部６により、それぞれのプロペラ部２は回転の開始及び停止、並びに回転速度等の変更を行う。
受信部が受信する操作信号は、簡易飛行物体Ａから離れた距離にある外部の図示しないコントローラーから送信されるものであり、プロペラの駆動により、簡易飛行物体Ａの姿勢、飛行方向を制御する。
尚、操作信号の送信には、公知のラジコン同様にリモートコントローラーを利用できる。
【００２６】
図３は、アーム部１１を示す下面図である。
アーム部１１は、基体部１の角部から外方へ向けて延出している。
各アーム部１１にはプロペラ部２のモータ体３に通電するための導通線５が内蔵されており（図４参照）、各アーム部１１の末端下側には、導通線５の末端である接点１１aが露出している。当該接点１１aが、プロペラ部２側に設けられたプロペラ部側接点２３と接触することにより、電源４とモータ体３とが導通し、モータ体３に電力が供給される。
また、各アーム部１１の端部の内部には、下側に、プロペラ部２を磁着するための磁石７が埋設されている。
この磁石７が、後述するプロペラ部２に設けられた磁性体８（例えば、薄鉄板等）と磁着することで、基体部１とプロペラ部２とが仮に取り付けられる。
すなわち仮固定される。
【００２７】
図４は、プロペラ部２を示す説明図である。一部を断面で示す。
複数の各プロペラ部２は、いずれも同様の構成を有するため、ここではそのうちの１つを例にとって説明する。
プロペラ部２は、プロペラ体２１と、プロペラ体２１の軸に設けられたモータ体３と、上述した基体部１のアーム部１１に設けられた接点１１aと接触して導通するための導通線５を備える。
【００２８】
プロペラ部２は、回転することで揚力を発生させるプロペラ体２１と、それを保護するためのフレーム部２２を有する。フレーム部２２は、プロペラ体２１の軸に下側から接続されたモータ体３を内蔵するモータ体受け部２２ａと、モータ体受け部２２ａから外方へ斜め上方に延出する３つの梁部２２ｂと、梁部２２ｂに支持されたプロペラ体２１と接しない円形の外枠２２ｃを有する。
また、外枠２２ｃには、基体部１に向けて突出した突起部２２ｄが設けられている。
【００２９】
梁部２２ｂ及び突起部２２ｄには、モータ体３と導通する導通線５が内蔵されている。突起部２２ｄの上側には、当該導通線５の末端が、基体部１に設けられた接点１１aと接触して導通するためのプロペラ部側接点２３として露出している。
【００３０】
突起部２２ｄには、基体部１のアーム部１１に設けられた磁石７に対向するように磁性体８が内蔵されている。
基体部１のアーム部１１とプロペラ部２の突起部２２ｄとを近づけると、磁石７と磁性体８との間に磁力が作用して両者は磁着する。
このように、磁着により取り付けるため、基体部１とプロペラ部２とを容易に組み付け又は分解することができる。
ここで、磁性体８には、例えば、薄鉄板を好適に利用することができる。
【００３１】
プロペラ部２を基体部１に取り付ける場合には、基体部１のアーム部１１をプロペラ部２の突起部２２ｄが下側から支持するように取り付ける。上述したように、アーム部１１に内蔵された磁石７と突起部２２ｄに内蔵された磁性体８とを近づけることにより、両者が一定の力で磁着する。
このとき、アーム部１１の下面に設けられた接点１１aと、突起部２３の上面に設けられたプロペラ部側接点２３とが接するように、また、磁石７と磁性体８とが磁力を及ぼすように取り付けることで、基体部１とプロペラ部２が正確に位置決めされたことになる。
これにより、利用者が、例えば初心者や子供であっても、容易に基体部１とプロペラ部２とを取り付け、再度の飛行を行うことが可能となる。
【００３２】
ところでプロペラ部２の突起部２２ｄが基体部１のアーム部１１を下側から上方に支持するように取り付けることにより、プロペラ部２に生じる揚力が基体部１に直接、伝わることとなる。
この場合、支持力によって基体部１が支えられていることになる。
反対に、基体部１のアーム部１１がプロペラ部２の突起部２２ｄを下側から支持するようにした場合は、プロペラ部２にだけ揚力が加わり、磁力のみによって、基体部１が支えられていることになる。
因みに、前者の場合は、支持力が働くので後者に較べて磁力を抑えることができる。
【００３３】
簡易飛行物体Ａは、電源４から動力を得て駆動する。例えば、４つのプロペラ部２の内、対角線上にあるもののプロペラ体２１が同一の方向に回転し、隣り合うプロペラ部２のプロペラ体２１同士が逆方向に回転することで、簡易飛行物体Ａが水平方向への移動を伴わない浮上、降下、又はホバリングを行うことができる。
このとき、それぞれのプロペラ体２１は同一の回転速度により回転している。プロペラ体２１の回転速度を変更することにより、高度を変更すことができる。
具体的には、プロペラ体２１の回転速度を上げることで揚力が大きくなり、簡易飛行物体Ａが上昇する。
移動又は回動は、各プロペラ部２のプロペラ体２１の回転速度を異なったものとすることにより行う。
【００３４】
具体的には、移動の場合には進行方向側の２つのプロペラ体２１の回転速度よりも、進行方向後方の２つのプロペラ体２１の回転速度を上げることにより、進行方向へ簡易飛行物体Ａが移動する。
回動の場合には、回動する方向に回転している対角線上に並んだ２つのプロペラ部２のプロペラ体２１の回転速度を、他の２つのプロペラ体２１の回転速度よりも上げることで回動を行う。
【００３５】
図５は、プロペラ部２と基体部１とが分離する様子を示す説明図である。
簡易飛行物体Ａは、飛行中は水平を維持している。
飛行中の簡易物体Ａが外部から衝撃を加えられると、バランスを崩して姿勢が崩れる。そうすると、プロペラ部２から基体部１へ加わって揚力の方向が変化することで、プロペラ部２と基体部１との間に捻り力が加わり、それが、磁石７と磁性体８との間に働く磁力を上回ることで、少なくとも一部のプロペラ部２と基体部１が分離する。
また、一部のプロペラ部２と基体部１とが分離することで、簡易飛行物体Ａの姿勢を維持できず、順次他のプロペラ部２と基体部１とが分離することもある。
これにより、簡易飛行物体Ａは落下する。基体部１とプロペラ部２とが分離すると、接点１１ａとプロペラ部側接点２３が分離して導通が立たれることにより、プロペラ体２１の回転が停止する。これにより、確実に簡易飛行物体Ａが落下するとともに、落下したプロペラ体２１が人に当たった場合のけがを防止することが可能となる。
【００３６】
本発明の簡易飛行物体Ａは、主として、ゲームに用いるためのものである。簡易飛行物体Ａを用いたゲームには、複数のものが考えられる。
例えば、合成樹脂製の軟質なボールを投げたり、或いは空気銃を用いる等の方法により、飛行中の簡易飛行物体Ａにボールや銃弾等を衝突させ、その外部から衝撃により打ち落とすことを目的としたゲームがある。
この場合、簡易飛行物体Ａに他の物体を的中させることを競うゲームとすることが考えられる。
簡易飛行物体Ａが衝撃を受けた際に、プロペラ部２が基体部１から分離可能であることにより、簡易飛行物体Ａを打ち落とす場合に、簡易飛行物体Ａに物が当たったことが視覚的に分かり易く、爽快感を得ることができる。
また、プロペラ部２が複数であることにより、プロペラ部２の基体部１からの分離が四方になり、より視覚的に分かり易く行われる。
また、簡易飛行物体Ａをバラバラにして打ち落とす爽快感やエキサイティング感を得ることができる。
【００３７】
ここで、他の実施例について述べる。
本実施例において、基体部１とプロペラ部２との取り付けには永久磁石７である磁石７を用いているが、永久磁石７に代えて電磁石９を用いても良い。
図６は、他の実施例に係る簡易飛行物体Ａを示す説明図である。
本実施例においては、基体部１の外側に露出してタッチ式センサー１０が設けられている。
タッチ式センサー１０は制御部６と電気的に接続しており、タッチ式センサー１０に触れることにより電源４からの電力の供給のオンオフを切り替える。タッチ式センサー１０は、電源４から電力を供給されており、すなわちプロペラ部２のモータ体３と動力源を共有している。
同様に、電磁石９も電源４から電力を供給されており、タッチ式センサー１０及びモータ体３と、動力源を共有している。
【００３８】
図７は、プロペラ部２と基体部１とが分離する様子を示す説明図である。
タッチ式センサー１０が電力の供給のオンオフを切り替えることにより、プロペラ部２と、電磁石９との電力の供給が、同期して切り替えられる。
すなわち、飛行状態にある簡易飛行物体Ａのタッチ式センサー１０に触れると、瞬時にプロペラ部２のモータ体３への電力が停止され（すなわち導通が断たれ）、プロペラ部２の駆動が停止する。同時に、電磁石９への電力の供給が停止され、基体部１とプロペラ部２との間に働く磁力が失われ、基体部１とプロペラ部２とが分離する。
したがって、飛行中の簡易飛行物体Ａのセンサー１０に触れることにより、プロペラの駆動が停止すると同時に４つのプロペラ部２と基体部１とが分離して、それぞれ落下する。全てのプロペラ部２が基体部１から分離して簡易飛行物体Ａが落下することにより、より大きい爽快感が得られる。
センサー１０により、全部ではなく、例えば、一つのプロペラの駆動が停止するように構成してもよい。
【００３９】
更に、他の実施形態として、基体部１とプロペラ部２との取り付けに、圧入嵌合を用いることも可能である。
図８は、他の実施例に係る簡易飛行物体Ａを示す説明図である。図８（Ａ）は基体部１とプロペラ部２とが取り付けられた状態を示す。図８（Ｂ）は、基体部１とプロペラ部２との取り付けを示す。
簡易飛行物体Ａにおいては、アーム部１１に凹部１３を設け、突起部２２ｄに凸部１２を設ける。
基体部１とプロペラ部２とを取り付ける場合には、凸部１２を凹部１３に圧入嵌合させる。
この圧入嵌合関係は、衝撃を受けると容易に外れる程度が好ましい。
基体部１とプロペラ部２との取り付けに嵌合を用いることにより、基体部１に対するプロペラ部２の位置決めが確実に行われる。
また、使用者が子供であっても、基体部１とプロペラ部２との取り付けを容易に行うことが可能となる。
また、取付けのための磁石７や磁性体８が不要となり、軽量化を図ることができる。
【００４０】
以上、本発明の好適な実施形態について説明したが、本発明は上記実施形態に限定されるものではない。
【００４１】
本実施形態において、基体部１から延出するアーム部１１と、アーム部１１に取り付けられるプロペラ部２とはそれぞれ４つであるが、個数や取り付け位置は特に限定されない。
【００４２】
本実施形態において、基体部１及びプロペラ部２の形状は上述した通りであるが、これに限られない。例えば、基体部１を紡錘形状とする、プロペラ部２の梁部２２ｂの本数を増減する等の変更を適宜加えることが可能である。
【００４３】
本実施形態において、基体部１とプロペラ部２との取り付けには磁着又は嵌合が用いられているが、その他の方法であってもよく、これらを適宜組み合わせたものでもよい。
嵌合により基体部１とプロペラ部２とを取り付ける場合、プロペラ部２に凹部を設け、基体部１に凸部を設けることとしてもよい。
アーム部１１と突起部２２ｄにおいては、基体部１とプロペラ部２との取り付けにおける位置決めのため、適宜の凹凸やリブを設けることができる。
【産業上の利用可能性】
【００４４】
簡易飛行物体Ａは、種々のゲームに広く用いられることができる。簡易飛行物体Ａにおいては、衝撃を受けた場合に基体部１とプロペラ部２とが分離することにより、爽快感やエキサイティング感を得られるものである。
また、基体部１とプロペラ部２とが分離しても、両者を容易に組み立てなおすことができることから、子供向けの磁力や電力の教材としても活用することができる。
【符号の説明】
【００４５】
Ａ・・・簡易飛行物体
１・・・基体部
１１・・・アーム部
１１ａ・・・接点
２・・・プロペラ部
２１・・・プロペラ体
２２・・・フレーム部
２２ａ・・・モータ体受け部
２２ｂ・・・梁部
２２ｃ・・・外枠
２２ｄ・・・突起部
２３・・・プロペラ部側接点
３・・・モータ体
４・・・電源
５・・・導通線
６・・・制御部
７・・・磁石
８・・・磁性体
９・・・電磁石
１０・・・タッチ式センサー
１２・・・凸部
１３・・・凹部
【要約】      （修正有）【課題】衝撃を受けて分離して落下する簡易飛行物体であり、落下した後に容易に再度の飛行が可能な簡易飛行物体を提供すること。【解決手段】衝撃を受けて落下する簡易飛行物体Ａであって、簡易飛行物体Ａが基体部１と、基体部１から衝撃により分離可能である複数のプロペラ部２と、からなり、基体部１には電源４が設けられ、プロペラ部２が、電源４に結合するモータ体３と、モータ体３の軸に取り付けられたプロペラ体とよりなる簡易飛行物体。【選択図】図１【図１】
0006749536.tif 000002
【図２】
0006749536.tif 000003
【図３】
0006749536.tif 000004
【図４】
0006749536.tif 000005
【図５】
0006749536.tif 000006
【図６】
0006749536.tif 000007
【図７】
0006749536.tif 000008
【図８】
0006749536.tif 000009